(57)【要約】【課題】  水道水などに含まれる金属イオンは磁化水器において発生する活性水素で還元され、微粒子となる。これを効率的に除去して清浄度が高くかつ活性水素量が多い磁化水を作り出すことができる水の磁気処理装置を提供する。【解決手段】  磁化水器の後ろに、電気石（トルマリン）３６を配置した画室、及び活性炭素３７を配置した画室を有する浄化器３０を配置する。【選択図】  図３ 
2005238070.tif 000002
【特許請求の範囲】
【請求項１】
水道管と、この内部の円形断面流路を流れる水の方向に対して実質的に直交する磁界を発生させ、かつ前記水道管内に配置された少なくとも１対の磁界発生領域と、これらの磁界発生領域のそれぞれに、相互に非接触状態でかつ前記水流と前記磁界の両者に対して実質的に直角方向に配置された導電体と、を含んでなり、前記少なくとも一対の磁界発生領域を、その磁界の方向を水流方向で逆転させるように水流方向で間隔を隔てて配置し、前記水道管は少なくとも水と接触する部分で非導電体からなり、前記永久磁石と水流方向の長さがほぼ等しい前記導電体が水道管内面の前記非導電体に固設されかつ水道水に表出されている水の磁気処理装置において、前記磁界発生領域より水の流れ方向で下流に、電気石を充填した画室と粒状活性炭を充填した画室を有する浄化器を取り付けたことを特徴とする水の磁気処理装置。
【請求項２】
前記磁界発生領域が前記水道管の外周に固着されかつ相互に対向している永久磁石のＮ極及びS極により形成されることを特徴とする請求項１記載の水の磁気処理装置。
【請求項３】
前記導電体が前記磁界発生領域外に延長した部分を有することを特徴とする請求項１又は２記載の水の磁気処理装置。
【請求項４】
前記磁界発生領域をダイポールマグネティックリング（Dipole Magnetic Ring）構造をもつ磁気回路により構成することを特徴とする請求項１から３までの何れか1項記載の水の磁気処理装置。
【請求項５】
前記浄化器がカートリッジ式で着脱自在に水道管に取り付けたことを特徴とする請求項１から４までの何れか１項記載の水の磁気処理装置。
【発明の詳細な説明】
【技術分野】
【０００１】
本発明は水の磁気処理装置に関するものであり、さらに詳しく述べるならば、水道水、工場内でリサイクルされる工業用水、ビル内配管を流れる水、温泉、園芸用水、鑑賞魚用水などの水の磁気処理装置に関するものである。特に本発明は、本出願人が出願した特許文献１（特開２００１−８７７７３号公報）の磁化水製造装置の改良に関するものである。
【背景技術】
【０００２】
水を磁気処理するためのMHD(magneto hydrodynamic)発電原理は、図１に示すように、磁石１からの磁界の方向と直交方向に水を水道管２内で流すことにより起電力+E,-Eを発生させ、これを電極３で取り出すというものである。
【０００３】
特許文献１で提案された磁化水製造装置は、永久磁石と水流方向の長さがほぼ等しい導電体を水道管内面の非導電体に固設しかつ水道水に表出することを骨子とするものであって、MHD起電力で発生する電圧が導電体に印加される、すなわちMHD起電力の最大電圧が導電体に印加される。このために、対向する導電体の間を流れる水道水の電気分解が促進される。
【０００４】
磁化水器内でMHD電圧が発生すると、水の電気分解が起こって活性水素及び活性酸素が発生する。MHD電圧を乾電池に置き換えて活性酸素及び活性水素が発生する機構を図２を参照して説明する。図中、１０は陽極、１１は陰極、１２はMHD乾電池、１３は隔壁、１４は電解液であり、実線は電子の流れ、点線は電流の流れを示す。なお、図では隔壁１３を設けているが、水道管内では陽極反応と陰極反応は同じ場所で起こっている。図２において、陽極反応では、2OH- →2e-(放出)  →  H2O + O (活性酸素)  →  （分子状）O2 であり、一方陰極の反応は、H+ + e- →H（活性酸素）  →   H2 (分子状)である。活性水素の発生は陰極の導電体の金属が触媒的に作用して起、導電体面で起こる。特許文献１によると、導電体が水道水に表出されているために、活性水素の発生が多く、またMHD電流が多い。
【特許文献１】特開２００１−８７７７３号公報
【発明の開示】
【発明が解決しようとする課題】
【０００５】
特許文献１の磁化水製造装置では、陰極における活性水素の発生量が多いために、水中に含まれる金属イオンが還元され、微粒子となりそのまま飲用などに供されていることが分かった。また、ビルの配管などに適用した場合は微粒子が蓄積して長年使用の後には配管のつまりを生じる懸念が生まれた。
本発明は上記した問題を解決し、健康や、メンテナンスなどの面からさらに優れた磁化水の製造装置を提供することを目的とするものである。
【課題を解決するための手段】
【０００６】
本発明は、水道管と、この内部の円形断面流路を流れる水の方向に対して実質的に直交する磁界を発生させ、かつ水道管内に配置された少なくとも１対の磁界発生領域と、これらの磁界発生領域のそれぞれに、相互に非接触状態でかつ水流と磁界の両者に対して実質的に直角方向に配置された導電体と、を含んでなり、前記少なくとも一対の磁界発生領域を、その磁界の方向を水流方向で逆転させるように水流方向で間隔を隔てて配置し、前記水道管は少なくとも水と接触する部分で非導電体からなり、前記永久磁石と水流方向の長さがほぼ等しい前記導電体が水道管内面の非導電体に固設されかつ水道水に表出されている特許文献１で提案された水の磁気処理装置において、磁界発生領域より水の流れ方向で下流に、電気石を充填した画室と粒状活性炭を充填した画室を有する浄化器を取り付けたことを特徴とする水の磁気処理装置を提供するものである。
以下、本発明を詳しく説明する。
【０００７】
本発明における磁気処理装置の各部の具体的構造については次のとおり特許文献１のものを採用することができる。（イ）磁界発生領域−段落番号０００６、０００７、００１０、００１１００１２；（ロ）水道管−段落番号００１０、００１１；（ハ）導電体−０００９、００１３；（ニ）永久磁石−Dipole Magnetic Ring 構造（段落番号００１４、００１５）。
【発明を実施するための最良の形態】
【０００８】
図３において、４a,bは水道管２の内面に固設された金属板からなる導電体であり、図示の位置に２枚配置され、図示とは反対の位置に２枚配置されている。20a,bは磁界の方向が逆転するようにスペーサー２１を介して配置された永久磁石であり、導電体4a,bより僅かに短くなっている。この結果導電体4a,bははみ出し部分を有し、この結果、特許文献１の図６を参照して説明したように導電体4aと4bの間に流れる電流が水の活性化に寄与する。上記した構造は特許文献１の図１４と同じである。
【０００９】
本発明は、上記した水の磁化器の下流に、浄化器３０を取り付けたことを特徴とするものである。図中、ハウジング３１内の上流側空間には電気石（トルマリン）３６が充填されている。電気石は岩石類の中で大きな電気分極・帯電を有している；水をアルカリ性にする；界面活性を高めるなどの作用をもっている。このような作用を利用して、永久磁石20a,b及び導電体4a,bの作用により還元された金属に再び電荷を与え、活性にする。このような電気石（トルマリン）３６充填領域に後続して粒状活性炭３７を充填して、活性水素により還元された金属、塩素や、赤錆の微粒子を活性炭３７に吸着した後、排水する。
なお、水道管３２，３４に対して浄化器３０を着脱可能なカートリッジ式に構成することができる。３３，３５は水を通過させる仕切り板である。
【産業上の利用可能性】
【００１０】
本発明の磁化水器は次のような性能をもっている。
（イ）  活性水素により穏やかな還元性をもった水を製造することができるので、人体の免疫力などを高めることが期待される。
（ロ）  植物の水汲み上げ能力が高まるので、花の寿命が延びる。
（ハ）  水道管の赤錆スケールを防止し、便器や風呂の汚れを防止することができる。
（ニ）  舌触りが良い水を作り出すことができる。
【図面の簡単な説明】
【００１１】
【図１】MHD発電の原理説明図である。
【図２】水の磁化で起こる電気化学反応の説明図である。
【図３】本発明の位置実施態様の説明図である。
【符号の説明】
【００１２】
１−磁石
２−水道管
３−電極
４−導電体（金属板）
３０−浄化器
３６−電気石（トルマリン）
３７−活性炭
【図１】
2005238070.tif 000003
【図２】
2005238070.tif 000004
【図３】
2005238070.tif 000005